(57)【特許請求の範囲】
【請求項１】
呼吸装置組立品であって、
バイザーを包含する前側及び空気入口開口部を包含する後側を有する形状非安定性呼吸装置フードと、
前記呼吸装置フードの空気入口開口部を通って延びており且つ空気分配チャンバに流体連結した空気入口導管を有すると共に、前記呼吸装置フードの内部に、前記空気分配チャンバと流体連通した２つの空気送達導管を有し、前記空気送達導管のそれぞれが、前記空気入口導管に対して対称的に配置されており、ユーザーの頭部のそれぞれの側部の概ね上方に延びるように位置しており、前記呼吸装置フードの前側に隣接した空気出口を有している、形状安定性空気マニホールドと、
前記呼吸装置フードを支持するように、ユーザーの頭部に係合させるための前記呼吸装置フード内に取外し可能に配置されて、且つ、前記空気マニホールドに取外し可能に接続された、ヘッドハーネスと、を含み、
前記呼吸装置フードは前記マニホールドに対して取外し可能であり、
前記空気マニホールドは、前記呼吸装置フード内に位置しており、且つ、空気が前記空気送達導管の出口に到達する前に、マニホールドを通って流動する空気の放出を可能とするように選択的に開放及び閉鎖されてもよい、開口部をさらに備えている、呼吸装置組立品。
【発明の詳細な説明】
【技術分野】
【０００１】
一般に、本開示は、ユーザーに呼吸可能な空気を提供するために、ユーザーの頭部に着用される呼吸装置に関する。
【背景技術】
【０００２】
呼吸装置は周知であり、多数の用途がある。例えば、呼吸装置を用いることで、ユーザーは、煙の充満した環境、火若しくは塵の充満した環境などの汚染された環境の中で、又は十分な呼吸可能な空気が他の方法では入手不可能な鉱坑内若しくは高地で、又は有毒な環境の中で、又は実験室の中で、安全に呼吸できるようになる。呼吸装置はまた、シリコーンチップ（silicone chips）の製造に使用されるクリーンルーム内で働くときなど、周囲環境の汚染からユーザーを保護するのが望ましい場合に着用されることがある。
【０００３】
幾つかの呼吸装置は、危険な環境内で働くとき、又はユーザーが鉱坑内、工業環境内若しくは建設現場などで、落下物若しくは投射物に当たる危険性にあるときに、衝撃に対する何らかの保護を提供することが意図されるヘルメットを有する。別のタイプの呼吸装置は、例えば実験室又はクリーンルーム内で働くときなど、衝撃からの頭部の保護が必要であると考えられないときに、フードを採用している。
【０００４】
呼吸装置フードは通常、フードが着用されるべき環境に適した、柔軟な可撓性材料で作製される。フードは、ユーザーの頭部全体を被覆してもよく、フードの下端には、ユーザーの肩部区域にわたって延びるエプロン又はスカートが提供されてもよい。このタイプのフードは、一般にユーザーの作業環境からユーザーを隔離するために、ボディースーツと共に使用される。エプロン又はスカートは、多くの場合、周囲環境の状態からユーザーを守るためのボディースーツとの境界面としての働きをする。フードの別の形態は、頭部カバーと称されることもあり、ユーザーの頭部全体を被覆せず、ユーザーの耳の上方に延び、ユーザーの耳の前でユーザーの顎周り下方に延びるだけである。
【０００５】
フードは、その前側に一般にバイザーと称される透明な区域を有し、このバイザーを通して、ユーザーは見ることができる。バイザーは、フードの一体部分であってもよいし、破損した場合に取り外して交換することができるように着脱可能であってもよい。バイザーは、実質的に無制限の視野をユーザーに提供するために、フードの側部に及び／又はフードの頂部を越えて延びてもよい。
【発明の概要】
【発明が解決しようとする課題】
【０００６】
フードは、ユーザーの頭部上方に、呼吸可能な空気空間の領域を提供することが意図される。少なくとも１つの給気管が、フードの内部に呼吸可能な空気を提供する。給気管は、ユーザーから隔てられた遠隔空気源に接続されてもよいが、多くの用途において、給気管は、ユーザーによって一般にユーザーの背中又はベルトに携行される可搬式空気源に接続される。１つの形態では、可搬式空気源は、電池によるモータ動力によって駆動されるファン及びフィルターを包含する、ターボユニットを含む。可搬式空気源は、所定の期間にわたって、ユーザーに呼吸可能な空気源を提供することが意図される。
【課題を解決するための手段】
【０００７】
呼吸装置組立品は、バイザーを包含する前側及び空気入口開口部を包含する後側を有する呼吸装置フードと、フードの空気入口開口部を通って延びる空気入口導管を有すると共に、フード内部に、空気入口導管と流体連通した複数の空気送達導管を有する形状安定性空気マニホールドとを含む。
【０００８】
別の態様では、呼吸装置フードは、それを通して空気入口開口部を有する呼吸装置フードと、フードに対して取外し可能に配置された形状安定性空気マニホールドとを含み、マニホールドは、フードの空気入口開口部を通って延びる空気入口導管を有すると共に、フード内部に、空気入口導管と流体連通した複数の空気送達導管を有する。
【０００９】
別の態様では、それを通る空気入口開口部を有する呼吸装置フード用の形状安定性空気マニホールドは、フードの空気入口開口部を通って延びる空気入口導管と、空気入口導管と流体連通した複数の空気入口導管とを含み、それぞれの空気送達導管は、フード内部に配置された空気出口を有する。
【００１０】
この「課題を解決するための手段」は、「発明を実施するための形態」において以下で更に説明するより抜きの概念を、簡潔な形で提示するために示すものである。この課題を解決するための手段は、特許請求される主題の重要な特徴又は本質的な特徴を特定することを意図するものではなく、特許請求される主題のそれぞれの開示された実施形態又はすべての実施態様を記載することを意図するものではなく、また、特許請求される主題の範囲を決定する補助として使用されることを意図するものではない。他の多くの新たな利点、特徴、及び関係は、続く説明で明らかになるだろう。続く図及び説明は、例示的な実施形態を、より具体的に実証する。
【００１１】
開示される主題は、添付図面を参照して更に説明され、同様の構造又はシステム要素は種々の図にわたって同様の参照番号によって示される。
【図面の簡単な説明】
【００１２】
【図１】仮想線で示した呼吸装置フードを有する呼吸装置組立品の側面図。
【図２】図示を明確化にするためにフードが取り除かれた状態の、図１の呼吸装置組立品の平面図。
【図３】フードの一部を示した状態の、図２の線３−３に沿って切り取った拡大部分断面斜視図。
【図４】呼吸装置組立品用のマニホールドの分解斜視図。
【図５】閉鎖位置におけるそのバルブ及び作動装置を示す、図４の組み立てられたマニホールドの一部の拡大斜視図。
【図６】開放位置におけるバルブ及び作動装置を示す、図５と同様な図。
【図７】呼吸装置組立品用のマニホールドの第２実施形態の斜視図。
【図８】図７のマニホールドの特定の構成要素の分解斜視図。
【図９】閉鎖位置におけるそのバルブ及び作動装置を示す、図７の組み立てられたマニホールドの一部の拡大背立面図。
【図１０】開放位置におけるバルブ及び作動装置を示す、図９と同様の図。
【図１１】呼吸装置組立品用のマニホールドの第３実施形態の斜視図。
【図１２】ロックリング無しの状態の、図１１のマニホールドの分解斜視図。
【図１３】閉鎖位置におけるそのバルブ及び作動装置を示す、マニホールドの上部が取り除かれた状態の、図１１のマニホールドの一部の拡大斜視図。
【図１４】開放位置におけるバルブ及び作動装置を示す、図１３と同様の図。
【図１５】閉鎖位置におけるバルブを示す、マニホールドの前側から見た図１１のマニホールドの一部の拡大斜視図。
【図１６】開放位置におけるバルブを示す、図１５と同様の図。
【図１７】呼吸装置組立品用のマニホールドの第４実施形態の斜視図。
【図１８】閉鎖位置におけるそのバルブ及び作動装置を示す、図１６の線１８−１８に沿って切り取った拡大部分断面図。
【図１９】開放位置におけるバルブ及び作動装置を示す、図１８と同様の図。
【図２０】呼吸装置フードがユーザーの頭部全体を被覆している状態の、呼吸装置組立品の側面図。
【図２１】頭部カバー式呼吸装置フードがユーザーの頭部を部分的にのみ被覆している状態の、呼吸装置組立品の側面図。
【図２２】呼吸装置フードが、ユーザーによって着用される全身保護用ボディースーツと組み合わせて使用され、ユーザーの頭部を全体的に被覆している状態の、呼吸装置組立品の側面図。
【００１３】
上記の図は、開示された主題の１以上の実施形態を記載するが、他の実施形態もまた本開示の中で述べられたように企図される。すべての場合において、本開示は、制限事項としてではなく、代表的な例として開示された主題を提示する。本開示の原則の範囲及び趣旨に含まれる、多数の他の変更及び実施形態が当業者によって考案され得ることを理解されたい。
【発明を実施するための形態】
【００１４】
用語解説
以下に記載される用語は、定義されるような意味を有する。
【００１５】
フードとは、ユーザーの少なくとも顔面を被覆するが頭部衝撃保護を提供しない、緩く適合する面体を意味する。
【００１６】
ヘルメットとは、ユーザーの頭部に衝撃保護を提供する材料から少なくとも部分的に形成され、少なくともユーザーの顔面を被覆する面体を包含する頭部の覆いを意味する。
【００１７】
形状非安定性とは、ある形状をとり得るが、付加的な支持体がなくとも単独でその形状を維持できる必要は必ずしもない構造の特徴を意味する。
【００１８】
形状安定性とは、画定された形状を有し、可撓性であり得るにもかかわらず単独でその形状を維持することができる構造の特徴を意味する。
【００１９】
呼吸可能空気領域とは、少なくともユーザーの鼻及び口の周りの、空気が吸入され得る空間を意味する。
【００２０】
シェルとは、呼吸可能空気領域を少なくとも包含する呼吸装置の内部を、呼吸装置の周囲環境から分離するバリアを意味する。
【００２１】
バルブとは、空気流を調節する装置を意味する。
【００２２】
バルブ作動装置とは、バルブのバルブ部材の移動を担う装置を意味する。
【００２３】
バルブ部材とは、マニホールドに対して移動可能なバルブの要素を意味する。
【００２４】
マニホールドとは、空気入口を有すると共に、空気入口と連通した１つの又は別個の空気導管を有する空気流プレナムを意味し、それぞれの空気導管は、少なくとも１つの空気出口を有する。
【００２５】
呼吸装置組立品１０が図１に例示されている。この場合、呼吸装置組立品１０は、図１の図示を明確化するために仮想線で示された、呼吸装置組立品１０用のシェルとしての働きをする形状非安定性フード１２を包含する。呼吸装置組立品１０は、ユーザー１８の頭部１６に適合するよう寸法設定してもよく、１つ以上の次元において調節可能な頭部ハーネス１４を更に包含する。フード１２は、頭部１６全体ではないにせよ、ユーザー１８の頭部１６の少なくとも前側及び頂部にわたって延びるように寸法設定される。
【００２６】
呼吸装置組立品１０は、形状安定性空気マニホールド２０を更に含む。マニホールド２０は、図１の取付け箇所２２及び２４などの複数箇所で、ハーネス１４によって取外し可能に支持される。ハーネス１４とマニホールド２０は、戻り止め、留め具、スナップ、又は２部からなる機械的締結具（例えば、フック・ループ式ファスナー）など、好適な機械的締結具によって互いに固定される。一実施形態では、ハーネス１４とマニホールド２０は、締着具などを介して分離可能である。図１に例示されるようにユーザーの頭部１６に接続及び装着されるとき、ハーネス１４は、マニホールド２０をユーザーの頭部１６に対して所望の位置に支持する。
【００２７】
図１及び２に見られるように、空気マニホールド２０は、空気入口導管２６、並びに複数の空気送達導管２７及び２８（図２には、２つの送達導管２８ａ及び２８ｂが例示される）を有する。一実施形態では、空気入口導管２６は、ユーザーの頭部１６の後側に隣接して配置される。空気入口導管２６は、空気送達導管２７と流体連通している。空気送達導管２７は、空気分配チャンバ３０を包含し、次に、それぞれの空気送達導管２８と流体連通している。空気送達導管２７及びその空気分配チャンバ３０もまた、ユーザーの頭部１６の後側に隣接して配置され、空気送達導管２８は、そこから前方に延びるにつれて、湾曲して分岐し、それを通して空気流のための別個の導管を提供する。それぞれの空気送達導管２８は、空気出口３２（例えば、空気送達導管２８ａの空気出口３２ａ、及び空気送達導管２８ｂの空気出口３２ｂ）を有する。一実施形態では、それぞれの空気出口は、ユーザー１８の頭部１６の顔面領域３４に隣接している。図１及び２では、マニホールド２０上の空気送達導管２８が２つだけ例示されているものの、いかなる数（例えば、１つ、２つ、３つなど）のこのような導管が提供されてもよいことを理解されたい。更に、幾つかの実施形態では、マニホールドは、ユーザーの前頭部に隣接したそれぞれの空気送達導管の１つ以上の出口と、ユーザーの鼻及び口に隣接した（例えば、ユーザーの鼻及び口の両側の）それぞれの空気送達導管の１つ以上の出口とを有してもよい。
【００２８】
フード１２は、その前側に配置されたバイザー３６を包含し、このバイザー３６を通してユーザー１８は見ることができる。一実施形態では、（例えば図１を参照のこと）、バイザー３６の内部（又はフードの内部）は、ユーザーの顔面領域３４の両側で、ハーネス１４のタブ部３７に取り外し可能に固着される。その結果、フード１２は、ハーネス１４によってその前側に隣接して支持される。フード１２は、その後側に、空気入口開口部３８（図１）を包含する。マニホールド２０の空気入口導管２６は、空気入口開口部３８を通って延び、空気入口導管２６に取り付けられた空気ホース４０を介して（その取付けは、図１の実施形態に示すように、フード１２の外側である）、呼吸可能な空気の供給源と流体連通している。ホース４０は、次に、ユーザー１８のための呼吸可能な空気の供給源４２に接続される。このような供給源４２は、既知であるような、呼吸可能な空気の加圧式タンク、動力式空気浄化呼吸装置（ＰＡＰＲ）又は供給式呼吸可能空気源（supplied breathable air source）の形態をとってもよい。空気は、供給源４２からホース４０を通り、マニホールド２０の空気入口導管２６内に流動する。次いで、空気は、空気送達導管２７の空気分配チャンバ３０を通り、それぞれの空気送達導管２８内に流動する。空気は、その空気出口３２からそれぞれの導管２８の外に、フード１２によってユーザー１８の頭部１６周りに画定される呼吸可能空気領域４４内に流動する。その結果、呼吸可能な空気は、吸入のためにマニホールド２０によってユーザーの顔面領域３４に送達され、幾つかの実施形態では、この顔面領域３４には、空気が吸入され得るユーザーの鼻及び口の周りの空間だけでなく、ユーザーの目及び前頭部の周りなど、ユーザーの顔面の周りの他の領域も包含される。
【００２９】
このような空気を導入したために、フード１２内部の気圧は、典型的にはフード外側の気圧を僅かに超えることがある。その結果、フード１２は、ユーザーの頭部１６、マニホールド２０及びハーネス１４の周りで、図１に例示された形状に概ね拡大することができる。典型的には、空気は、放出ポート（図示せず）を介して、又はフード１２の下縁に隣接した（例えば、ユーザー１８の首部及び／又は肩部の周りの）漏出許容部（allowed leakage）を介して、フード１２から漏出してもよい。その結果、呼吸装置組立品１０は、形状非安定性フード１２内部の呼吸可能空気領域４４をユーザー１８に提供し、形状安定性マニホールド２０によって空気がユーザーの顔面に隣接して送達される。
【００３０】
図３は、フード１２の空気入口開口部３８を介したフード１２とマニホールド２０との間の接続を例示している。空気入口導管２６は、空気入口開口部３８を通って延びる。ロックリング４６のような取外し可能な締着具が、フード１２の外側にある空気入口導管上に受容される。図４に見られるように、ロックリング４６は、カム状表面４６ａを有しており、このカム状表面４６ａは、（ロックリング４６を空気入口導管２６に対して回転させると）空気入口導管２６上の共働面４７と係合して、空気入口開口部３８に隣接したフードの材料を、フードの材料１２の内側にある空気入口導管２６の環状肩部４８に押し当てる。その結果、ロックリング４６及び肩部４８は、フード１２の空気入口開口部３８を通るとき、共働してフード１２とマニホールド２０との間に封止部を形成する。
【００３１】
ロックリング４６は、上記のような対向する表面４６ａ及び４７によって空気入口導管に連結されてもよいし、対向するねじ付き表面又はバヨネットマウントなどのような他の好適な手段によってこれに連結されてもよい。いずれの場合にも、ロックリング４６は取外し可能であり、これにより、フード１２をマニホールド２０（及びこれに取り付けられたハーネス１４）に関して取り外すことが可能になる。したがって、フード１２は、呼吸装置組立品１０の使い捨て部分と見なされてもよい。ひとたび使用され、使用によって汚損又は汚染されると、フード１２は、（（そのように取り付けられている場合）、ロックリング４６を操作してフード１２をマニホールド２０から分離することによって、また、フード１２をハーネス１４から切り離すことによって）切り離され、廃棄され、再使用のために、新しいフード１２がハーネス１４に及びマニホールド２０に取り付けられてもよい。
【００３２】
フード構造は、フード内部で空気の流動を容易にする構造をフード自体から分離することによって、簡略化され、あまり高価ではなくなる。加えて、ユーザーへの一貫性のない空気流、又は不適切な空気流の分配（例えば、空気がユーザーの目に直接吹き込むなど）の原因となる可能性がある形状非安定性材料（それ故に潰れやすい）から（即ち、フード材料から）、空気流導管の部分が形成されることはない。形状安定性マニホールド２０は、たとえある種の物体との接触によってフードの形状が変化しても、感知できるほどには変化しない画定された形体を有する。したがって、マニホールド２０によって画定される空気送達用の導管は、偶然に潰れたり又は向きが変わったりして、呼吸可能空気領域内への空気流を望ましくない方向に向けることがない。更に、ハーネス及びマニホールド組立品の製造コストは、典型的にはフード単体の製造コストを超える。したがって、より高価な構成要素（例えば、ハーネス及びマニホールド）が再利用可能である一方、使用済みのフードは、そこから取り外され、その代わりに新しいフードに置き換えられる。実際には、それぞれのフードに、マニホールドの空気入口導管と封止可能に結合するように寸法設定及び位置設定された空気入口ポートが設けられているならば、再利用可能なマニホールド２０は、異なる形体のフードと共に使用されてもよい。したがって、全身ボディースーツの一部として形成されたフード、肩までの長さのフード、頭部カバー、又は更に異なる様式（例えば、異なるバイザー形状又はフード形状の形体）のフードが、同一のマニホールド２０と共に使用可能である。上述のように、フードは形状非安定性であってもよいが、マニホールドは形状安定性であり、これにより、ユーザーへの空気流は、一貫した量で呼吸可能空気領域内部の所望の出口位置に一貫して送達されることが確実になる。
【００３３】
図４は、マニホールド２０を形成するための１つの方法を分解図で例示している。例示的実施形態では、マニホールド２０は、上半分５０及び下半分５２を有する。上半分には、その上に形成された空気入口導管２６が含まれる。一実施形態では、それぞれの半体は、例えばポリプロピレン、ポリエチレン、ポリテン、ナイロン／ｅｐｄｍ混合物、及び膨張ポリウレタン発泡体など、熱可塑性ポリマーから形成される（例えば、成形される）。このような材料は、顔料、中空ガラス微小球、繊維などのような、充填剤又は添加剤を組み込んでもよい。上及び下半分５０、５２は、マニホールド２０を画定すべく互いにフィット又は結合するように形成され、上及び下半分５０、５２間の空間には、空気送達導管２７（図１及び２を参照のこと）、その空気分配チャンバ３０、及び空気送達導管２８が形成される。組立の際、上及び下半分５０、５２は、例えば、ねじ付き締着具５３（図３）などの複数の好適な締着具によって互いに固定されるか、あるいは、接着剤、熱若しくは超音波結合手法を使用して、又は他の好適な締着構成によって、互いに装着されてもよい。ひとたび組み立てられると、マニホールドのいずれかの部分が、ロックリング４６以外のマニホールドから分離可能であることは企図されない。
【００３４】
一実施形態では、マニホールド２０の空気分配チャンバ３０は、その中に複数の開口部５４を有する（代替の実施形態では、それぞれの空気分配導管上の空気出口を除いて、フード内部のマニホールドの外への開口部が提供されない）。図３〜６に例示されるように、一組のこのような開口部が提供されてもよく、この場合、開口部５４は、概ね平行なスロットとして形成される。４つの開口部５４が例示されているものの、いかなる数の開口部（単一の開口部を包含する）も十分である。開口部５４は、空気が空気分配チャンバ３０の外へ開口部５４を通って流動してもよい場合に、空気がユーザーの頭部から離れて（図１の矢印５６の方向に）流動するように位置合わせされる。開口部５４の中から流動する空気は、フード１２によって画定されるシェル内部に依然としてあり、ユーザーの頭部１６周りを冷却するのに有用である。
【００３５】
バルブは、マニホールド２０上の開口部５４を被覆及び露出させるために移動可能な、シールドプレート５８を含む。シールドプレート５８は、その外面において、マニホールド２０の上半分５０上の空気分配チャンバ３０の内面を反映するように形成される。シールドプレート５８は、同様に、開口部５４と同一の開口部６０の数及び形状を備えた複数の開口部６０を有し、それを通して開口部６０は、（図３及び６に見られるように）開口部５４と選択的に位置合わせされるように形成される。シールドプレート５８とマニホールド２０の上半分５０の内面との結合が、図３に例示されている。
【００３６】
シールドプレート５８は、円筒形の空気入口導管２６の軸の周りに画定される円弧を通って、開口部５４が被覆されている図５に示した位置から、開口部５４が露出されてシールドプレート５８の開口部６０と一直線になる図６に示した位置へ、回転可能である。図３及び４に見られるように、シールドプレート５８は、環状リング６２を有する。環状リング６２は、マニホールド２０が組み立てられたとき、空気分配チャンバ３０及び空気入口導管２６内部に着座する。弓状作動装置タブ６４は、リング６２の底縁から外向きに延びる。タブ６４は、図３〜６に見られるように、空気入口導管２６の周りで周囲方向に延びる、弓状スロット６６を通って延びる。作動装置タブ６４は、シールドプレート５８の位置をマニホールド２０上の開口部５４に対して変化させるために、スロット６６の円弧にわたってその内部で移動可能である。図５に見られるように、第１位置では、スロット５４は、シールドプレート５８によって被覆されている。図６に見られるように、第２位置では、スロット５４は、シールドプレート５８上のスロット６０と位置合わせされ、その結果、空気は、マニホールド２０内の開口部５４の外へ流動することが可能になる。図５及び６の矢印６８は、弓状スロット６６に対する作動装置タブ６４の移動可能な方向を例示している。作動装置タブ６４によって満たされていないスロット６６の部分は、感知され得る量の空気がマニホールド２０内部からスロット６６を介して漏出しないよう、環状リング６２の底縁によって被覆される。一実施形態では、開口部５４は、（例えば、図６に見られるように、開口部５４がシールドプレート５８上の開口部６０と完全に位置合わせされるとき）マニホールド２０を通って流動する空気の５０％以下が、開口部５４を通って流動できるように形成される。露出される開口部５４の量は、シールドプレート５８上の開口部６０がマニホールド２０上の開口部５４に関して相対的に移動することによって、完全な被覆（図５）と完全な開放（図６）との間で可変的である。
【００３７】
図３に見られるように、作動装置タブ６４の一部は、フードの材料１２の外側にあり、その結果、フードが着用されている間にユーザーによるアクセスが可能である。それ故に、ユーザーは、シールドプレート５８の移動を制御するために、フード１２の外側で作動装置タブ６４を操作できる。シールドプレート５８は、空気分配チャンバ３０内部でバルブ部材としての働きをして、それを通してマニホールド２０の空気送達導管２８内に流動する空気の量を変化させる。当然ながら、開口部５４を介してマニホールド２０の外に流動してもよい空気が、より多くなるにつれて、空気送達導管２８を通ってユーザー１８の顔面領域３４に直接的に流動するために利用可能な空気は、より少なくなる。作動装置タブ６４の移動の量は、スロット６６の寸法によって制限されるものの、シールドプレート５８によって形成されるバルブが、マニホールド２０上の開口部５４に対して完全に閉鎖した位置（図５）にあること、又は完全に開放した位置（図６）にあることを示す触覚的及び／又は可聴的な目安をユーザーに提供するために、移動可能なバルブとマニホールドとの間に戻り止めが提供されてもよい。
【００３８】
その結果、シールドプレート５８は、開口部５４の寸法を変化させるために開口部５４に対して移動可能な、開口部５４に隣接したカバーを提供する。作動装置タブ６４は、シールドプレート５８に操作可能に（即ち、フードの外側にあるバルブ作動装置として）接続され、呼吸装置組立品１０を着用しているユーザーが、呼吸装置組立品１０を着用している間に、シールドプレート５８を開口部５４に対して所望の位置に移動することを可能にする。
【００３９】
呼吸装置組立品１０用のマニホールドの代替実施形態が、図７〜１０に開示されている。図示を明確化するために、マニホールド１２０のみが図７〜１０に例示されているが、マニホールド１２０は、頭部ハーネス（例えば図１に示したハーネス１４）に共働的に装着され、また、フード上の空気入口ポートを介してフード（例えば図１に示したフード１２）に共働的に装着されてもよいことを理解されたい。これらの態様では、マニホールド１２０は同様に、ハーネスに対して取外し可能に装着され、また、フードに関して取外し可能に装着される。その結果、マニホールド２０に関して上述したように、ひとたびフードが汚染又は破損されたら、図７〜１０のマニホールド１２０の再利用の利点を、同様に利用することができる。
【００４０】
マニホールド１２０は、空気入口導管１２６及び複数の空気送達導管１２８を有する（図７及び８では、２つの空気送達導管１２８ａ及び１２８ｂが例示されている）。一実施形態では、空気入口導管１２６は、（図１に示されたものと同様な方法で）ユーザーの頭部の後側に隣接して配置される。空気入口導管１２６は、その中に空気分配チャンバ１３０を包含する中間空気送達導管１２９と流体連通し、また、それぞれの空気送達導管１２８と流体連通している。使用する際、空気分配チャンバ１３０もまた、ユーザーの頭部の後側に隣接して配置され、中間空気送達導管１２９は、空気入口導管１２６から前方に、ユーザー頭部の上方中央に延びる。空気送達導管１２８が、中間空気送達導管１２９から更に前方に延びるにつれて、これらは、（対称に）湾曲して分岐し、それを通して空気流のための別個の導管を提供する。それぞれの空気送達導管１２８は、空気出口１３２（例えば、空気送達導管１２８ａの空気出口１３２ａ及び空気送達導管１２８ｂの空気出口１３２ｂ）を有する。一実施形態では、それぞれの空気出口は、ユーザーの顔面に隣接している。図７及び８では、マニホールド１２０上の空気送達導管１２８が２つだけ例示されているものの、いかなる数のこのような導管が提供されてもよいことを理解されたい。
【００４１】
マニホールド１２０の空気入口導管１２６は、フードの空気入口ポートを通って延び、図１の実施形態に関してホース４０及び呼吸可能な空気の供給源４２に関して開示されたものと同じ方法で、呼吸可能な空気の供給源と流体連通している。空気は、マニホールド１２０の空気入口導管１２６内に流動し、次いで、中間空気送達導管１２９及びその空気分配チャンバ１３０を通って、それぞれの空気送達導管１２８内に流動する。空気は、その空気出口１３２からそれぞれの空気送達導管１２８の外に、ユーザーによる吸入のためにユーザーの頭部周りにフードによって画定される呼吸可能空気領域内に流動する。
【００４２】
上記のように、フードは、しばしば形状非安定性であり、呼吸装置組立品用のシェルとしての働きをする一方、マニホールド１２０は形状安定性である。フードの空気入口ポートを介したフードとマニホールド１２０との間の接続は、図１〜６の実施形態に関して説明したものと同様であり、マニホールド１２０をフードに封止可能に取り付けるためにロックリングなどを使用しており、更に、マニホールドの空気入口導管１２６がフードから延出して供給空気を受容することを可能にする。マニホールド２０の形状に対して異なるマニホールド１２０の形状、及びそれらの間にあるバルブ構造の変化の他は、（以下に説明するように）マニホールド１２０は、上記と同じ方法でフード及びハーネスと相互作用し、上記と同じ空気送達機能を達成する。加えて、マニホールド１２０は、マニホールド２０に関して開示されたものと同じ材料から形成されてもよい。
【００４３】
図８は、マニホールド１２０の特定の構成要素を分解図で例示している。この場合、空気導管１２８及び１２９を画定するマニホールド１２０の部分が、組み立てられて示されている。一組の１つ以上の開口部１５４が、マニホールド１２０を貫通して、その空気分配チャンバ１３０内に配置される。この代表的な実施形態において、開口部１５４のそれぞれは弓状の形状であり、その幾つかは異なる長さを有する。開口部１５４は、空気が空気分配チャンバ１３０の中から開口部１５４を通って流動するとき、空気が、ユーザーの頭部から離れ、それでも尚、フードによって画定されるシェル内部に流動するように位置合わせされる。
【００４４】
バルブは、マニホールド１２０上の開口部１５４を被覆及び露出させるために移動可能なシールドプレート１５８を含む。シールドプレート１５８は、図１〜６の実施形態のシールドプレート５８と機能的に類似している。シールドプレート１５８は、開口部１５４を被覆及び露出させるために、空気分配チャンバ１３０と結合する。シールドプレート１５８は、開口部１５４と同一の開口部１６０の数及び形状を備えた、複数の開口部１６０を有し、開口部１６０は、（図７及び１０に見られるように）開口部１５４と選択的に位置合わせされるように形成される。
【００４５】
シールドプレート１５８は、円筒形の空気入口導管１２６の軸の周りに画定される円弧を通って、開口部１５４が被覆されている図９に示した位置から、開口部１５４が露出されてシールドプレート１５８の開口部１６０と一直線になる図１０に示した位置へ、回転可能である。シールドプレート１５８は、マニホールド１２０が組み立てられたとき、空気分配チャンバ１３０及び空気入口導管１２６内部に着座した環状リング１６２を有する。弓状作動装置タブ１６４は、リング１６２の底縁から外向きに延びる。タブ１６４は、図８に見られるように、空気入口導管１２６の周りで周囲方向に延びる、弓状スロット１６６を通って延びる。弓状タブ１６４は、シールドプレート１５８の位置をマニホールド１２０上の開口部１５４に対して変化させるために、スロット１６６の円弧にわたってその内部で移動可能である。図９に見られるように、第１位置では、スロット１５４は、シールドプレート１５８によって被覆されている。図１０に見られるように、第２位置では、スロット１５４は、シールドプレート１５８上のスロット１６０と位置合わせされ、その結果、空気は、マニホールド１２０内の開口部１５４の外へ流動することが可能になる。図９及び１０の矢印１６８は、弓状スロット１６６に対する作動装置タブ１６４の移動方向を例示している。作動装置タブ１６４によって満たされてされていないスロット１６６の部分は、感知され得る量の空気がマニホールド１２０内部からスロット１６６を介して漏出しないよう、環状リング１６２の底縁によって被覆される。一実施形態では、開口部１５４は、（例えば、図１０に見られるように、開口部１５４がシールドプレート１５８上の開口部１６０と完全に位置合わせされるとき）マニホールド１２０を通って流動する空気の５０％以下が、開口部１５４を通って流動できるように形成される。露出される開口部１５４の量は、シールドプレート１５８上の開口部１６０がマニホールド１２０上の開口部１５４に関して相対的に移動することによって、完全な被覆（図９）と完全な開放（図１０）との間で可変的である。
【００４６】
図１〜６に示した実施形態の作動装置タブ６４と同様に、図７〜１０の実施形態の作動装置タブ１６４の一部は、フードの材料の外側にあり、その結果、フードが着用されている間に、シールドプレート１５８の位置を開口部１５４に対して操作するためにユーザーによるアクセスが可能である。シールドプレート１５８は、空気分配チャンバ１３０内部でバルブ部材としての働きをして、それを通ってマニホールド１２０の空気送達導管１２８内に流動する空気の量を変化させる。開口部１５４を通ってマニホールド１２０の外に流動してもよい空気が、より多くなるにつれて、送達導管１２８を通ってユーザーの顔面領域に直接的に流動するために利用可能な空気は、より少なくなる。作動装置タブ１６４の移動の量は、スロット１６６の寸法によって制限されるものの、シールドプレート１５８によって形成されるバルブが、マニホールド１２０上の開口部１５４に対して完全に閉鎖した位置（図９）にあること、又は完全に開放した位置（図１０）にあることを示す触覚的及び／又は可聴的な目安をユーザーに提供するために、移動可能なバルブとマニホールドとの間に戻り止めが提供されてもよい。
【００４７】
その結果、シールドプレート１５８は、開口部１５４の寸法を変化させるために開口部１５４に対して移動可能な、開口部１５４に隣接したカバーを提供する。作動装置タブ１６４は、シールドプレート１５８に（即ち、フードの外側にあるバルブ作動装置として）接続され、呼吸装置組立品を着用しているユーザーが、呼吸装置組立品を着用している間に、シールドプレート１５８を開口部１５４に対して所望の位置に移動することを可能にする。
【００４８】
呼吸装置組立品１０用のマニホールドの代替実施形態が、図１１〜１６に開示されている。再度、図示を明確化するために、マニホールド２２０のみが図１１〜１６に例示されているが、マニホールド２２０は、頭部ハーネス（例えば図１に示したハーネス１４）に共働的に装着され、また、フード上の空気入口ポートを介してフード（例えば図１に示したフード１２）に共働的に装着されてもよいことを理解されたい。これらの態様では、マニホールド２２０は同様に、ハーネスに対して取外し可能に装着され、また、フードに関して取外し可能に装着される。その結果、マニホールド２０及びマニホールド１２０に関して上述したように、ひとたびフードが汚染又は破損されたら、図１１〜１６のマニホールド２２０の再利用の利点を、同様に利用することができる。
【００４９】
マニホールド２２０は、空気入口導管２２６及び複数の空気送達導管２２８を有する（図１１〜１６では、２つの空気送達導管２２８ａ及び２２８ｂが例示されている）。一実施形態では、空気入口導管２２６は、（再度、図１に配置されて示されたものと同様な方法で）ユーザーの頭部の後側に隣接して配置される。空気入口導管２２６は、中間空気送達導管２２９と流体連通し、また、それぞれの空気送達導管２２８と流体連通している。使用する際、空気入口導管２２６及び中間空気送達導管２２９は、ユーザーの頭部の後側に隣接して配置され、中間空気送達導管２２９は、空気入口導管２２６から前方に、ユーザーの頭部に対して中央に延びる。空気送達導管２２８が、中間空気送達導管２２９から更に前方に延びるにつれて、これらは、（対称に）湾曲して分岐し、それを通って空気流のための別個の導管を提供する。それぞれの空気送達導管２２８は、空気出口２３２（例えば、空気送達導管２２８ａの空気出口２３２ａ、及び空気送達導管２２８ｂの空気出口２３２ｂ）を有する。一実施形態では、それぞれの空気出口２３２は、ユーザーの頭部の顔面に隣接している。図１１〜１６では、マニホールド２２０上の空気送達導管２２８が２つだけ例示されているものの、いかなる数のこのような導管が提供されてもよいことを理解されたい。
【００５０】
マニホールド２２０の入口導管２２６は、フードの空気入口ポートを通って延び、図１の実施形態に関してホース４０及び呼吸可能な空気の供給源４２に関して開示されたものと同じ方法で、呼吸可能な空気の供給源と流体連通している。空気は、マニホールド２２０の空気入口導管２２６内に流動し、次いで、中間空気送達導管２２９を通って、それぞれの空気送達導管２２８内に流動する。空気は、その空気出口２３２からそれぞれの空気送達導管２２８の外に、ユーザーによる吸入のためにユーザーの頭部周りにフードによって画定される、呼吸可能空気領域内に流動する。
【００５１】
上記のように、フードは、形状非安定性であり、呼吸装置組立品用のシェルとしての働きをする一方、マニホールド２２０は形状安定性である。フードの空気入口ポートを介したフードとマニホールド２２０との間の接続は、図１〜６の実施形態に関して説明したものと同様であり、マニホールド２２０をフードに封止可能に取り付けるためにロックリングなどを使用しており、更に、マニホールドの空気入口導管２２６がフードから延出して供給空気を受容することを可能にする。マニホールド２０及び１２０に対して異なるマニホールド２２０の形状、並びにそれらの間にあるバルブ構造の変化の他は、（以下に説明するように）、マニホールド２２０は、上記と同じ方法でフード及びハーネスと相互作用し、上記と同じ空気送達機能を達成する。
【００５２】
一実施形態では、マニホールド２２０は、例えばポリプロピレン、ポリエチレン、ポリテン、ナイロン／ｅｐｄｍ混合物、及び膨張ポリウレタン発泡体など、熱可塑性ポリマー材料から形成される（即ち、成形される）。このような材料は、顔料、中空ガラス、微小球、繊維などのような、充填剤又は添加剤を組み込んでもよい。図１１は、組み立てられた形体におけるマニホールド２２０を例示している。図１２は、マニホールド２２０を分解図で例示しており、この実施形態では、マニホールド２２０は、上半分２５０及び下半分２５２を有する。上及び下半分２５０、２５２は、互いにフィット又は結合するように形成されてマニホールド２２０を画定し、上及び下半分２５０、２５２間の空間には、空気送達導管２２８及び２２９（これらは、これに連結された空気入口導管２２６と流体連通している）が形成されている。組立の際、上及び下半分２５０、２５２は、複数の好適な締着具（例えばねじ付き締着具）によって互いに固定されてもよいし、熱及び超音波結合手法、又は他の好適な締着構成を使用して互いに装着されてもよい。ひとたび組み立てられると、マニホールドの任意の部分が、ロックリング２４６以外のマニホールドから分離されることは企図されない。
【００５３】
一実施形態では、空気が空気送達導管２２８の空気出口２３２に到達する前に、マニホールド内の１つ以上の開口部を通って空気の放出を可能にするために、再度マニホールドにバルブが提供される。例示された実施形態では、例えば、接合領域２５５など、マニホールド２２０が１つの空気送達導管２２９から２つの空気送達導管２２８ａ及び２２８ｂに（対称に）分岐する箇所において、マニホールド２２０内に開口部２５３が提供される。その結果、開口部２５３の外に流動する空気は、（マニホールド２０及び１２０内の開口部のように、頭部から離れるのとは対照的に）ユーザーの頭部上方に沿って流動する。
【００５４】
バルブは、マニホールド２２０内の開口部２５３を選択的に開放及び閉鎖するために移動可能な、バルブ部材２５７を含む。バルブ部材２５７には、開口部２５３の内側縁部（例えば図１４に示した縁部２６１）と結合するように成形されたバルブ面封止部２５９を包含する。バルブ部材２５７は、開口部２５３をそれぞれ閉鎖及び開放するために、開口部２５３に向かって、及び開口部２５３から離れて移動可能である。図１３は、そのバルブ面封止部２５９と共に開口部２５３に移動してこれを閉鎖するバルブ部材２５７を例示しており、一方で、図１４は、そのバルブ面封止部２５９と共に開口部２５３から離れて移動し、これにより、これを開放してマニホールド２２０内部からの空気の流動を可能にするバルブ部材２５７を例示している。
【００５５】
バルブ部材２５７は、図１３及び１４の矢印２６３の方向に前後に摺動することによって、開口部２５３に対して移動する。バルブ部材２５７は、第１末端部において、バルブ面封止部２５９として接合又は形成されたプレート２６５から形成される。プレート２６５は、その中に細長い孔２６７を有する。マニホールド２２０の上及び下半分２５０、２５２の間にあるスペーサ２６９は、この細長い孔を通って延びる。スペーサ２６９には、プレート２６５内の細長い孔２６７の縁部と係合するように配置された、プレート傾斜面２７１が含まれる。その結果、（図１４に例示されるように）プレート２６５が開口部２５３から離れて移動するとき、プレート傾斜面２７１は、プレート２６５の部分をマニホールド２２０の下半分２５２から離して上方に押し進める。（図１３に例示されるように）プレート２６５が開口部２５３に向かって移動するとき、プレート傾斜面２７１は、バルブ面封止部２５９を、開口部２５３に対して封止された閉鎖位置に下降させる。
【００５６】
バルブ部材２５７には、プレート２６５の第２末端部に接続された、環状リング２７７が含まれる。環状リング２７７は、マニホールド２２０が組み立てられたとき、空気入口導管２２６内の円筒形ボア内部に摺動可能に配置される（例えば、図１８及び１９に例示された実施形態の同様のリング３７７用の円筒形ボア３７７ａを参照のこと）。一対の弓状作動装置タブ２７９は、リング２７７の底縁から外向きに延びる（図１２を参照のこと）。タブ２７９は、リング２７７の両側に配置され、リング２７７とプレート２６５との接続部と長手方向に対向して位置あわせされている。図１２〜１４に見られるように、それぞれのタブ２７９は、空気入口導管２２６の周りで周囲方向に延びるそれぞれの弓状スロット２８１を通って延びる。
【００５７】
作動装置タブ２７９は、マニホールド２２０上の開口部２５３に対してバルブ面封止部２５９の位置を変化させるために、スロット２８１を通って（空気入口導管２２６の軸線の方向に沿って）長手方向に移動可能である。図１３及び１５に見られるように、第１位置では、開口部２５３は、バルブ面封止部２５９によって被覆されている。図１４及び１６に見られるように、第２位置では、開口部２５３は露出され、バルブ面封止部２５９はそこから離間している。それぞれのスロット２８１は、そのそれぞれのタブ２７９を摺動可能に受容するように寸法設定され、これにより、図１３及び１５の矢印２６３の方向におけるタブ２７９の移動を可能にする。スロット２８１は、感知され得る量の空気がマニホールド２２０内部からスロット２８１を介して漏出しないように、タブ２７９に対して寸法設定される。一実施形態では、開口部２５３は、マニホールド２２０を通って流動する空気の５０％以下が、開口部２５３を通って流動できるように形成される。開口部２５３を通る空気流は、開口部２５３に対するバルブ面封止部２５９の位置に応じて可変的であり、完全閉鎖（バルブ面封止部２５９の開口部が完全に被覆された位置（図１３及び１５））と、完全開放（バルブ面封止部２５９の開口部が完全に開放された位置（図１４及び１６））との間のいかなる流量レベルで流動することもできる。
【００５８】
図１３及び１４に見られるように、作動装置タブ２７９の一部は、（図１３及び１４において仮想線のフード１２で表される）フードの材料の外側にあり、その結果、フードが着用されているときに、バルブ部材２５７の位置を開口部２５３に対して操作するためにユーザーによるアクセスが可能である。その結果、バルブ部材２５７は、導管２２０を通ってその空気出口２３２に流動する空気の量を変化させる働きをする。バルブ部材２５７が少しでも開放されると、空気は開口部２５３の外に流動し、その結果、より少ない空気が空気出口２３２の外に流動する。バルブ部材２５７の長手方向移動の量は、一方では、開口部２５３と、バルブ封止面２５９の係合によって制限され、また他方では、空気入口導管２２６内部の円筒形ボアの底部における肩部と、環状リング２７７の底縁の係合によって制限される。バルブ部材２５７によって形成されるバルブが、マニホールド２２０の開口部２５３に対して完全に閉鎖した位置（図１３及び１５）にあること、又は完全に開放した位置（図１４及び１６）にあることを示す触覚的及び／又は可聴的な目安をユーザーに提供するために、バルブ部材２５７とマニホールド２２０との間に戻り止めが提供されてもよい。
【００５９】
ユーザーによる作動装置タブ２７９の操作を更に容易にするために、Ｃ字形のリング部材２８３（図１２を参照のこと）が、（フードの外側で）作動装置タブ２７９のそれぞれに固定されてもよい。リング部材２８３は、空気入口導管２２６に対するその取扱い及び移動を容易にするために、１つ以上のリブ又は他の機構をその上に有してもよい（これにより、次に作動装置タブ２７９、それ故にバルブ部材２５７が移動される）。作動装置タブ２７９及び関連するリング部材２８３は、フードの外側にあるバルブ作動装置としての働きをし、呼吸装置組立品を着用しているユーザーが、呼吸装置を着用している間に、バルブ部材２５７を開口部２５３に対して所望の位置に移動することを可能にする。
【００６０】
それ故、図１１〜１６に例示されたマニホールド２２０は、呼吸装置組立品のシェルの内側で、マニホールド２２０内部の開口部を開放及び閉鎖するために、呼吸装置フードの外側から操作可能なバルブを有する形状安定性マニホールドを提供する。この作動は、ユーザーの頭部の後側に隣接したフードの外側にある、バルブ作動装置（作動装置タブ２７９及び関連するリング部材２８３）の直線的な移動によって達成される。それ故、ユーザーは、マニホールドを通る空気流が、空気出口２３２を介して顔面領域に隣接したマニホールドから出る状態と、マニホールドを通って流動する空気の一部又は最大半分が、開口部２５３を通ってマニホールドから出て、これにより、冷却のためにユーザーの頭部の頂部にわたって流動する状態との間で、マニホールド２２０を通る空気流を容易に変更することができる。
【００６１】
呼吸装置組立品１０用のマニホールドの代替実施形態が、図１７〜１９に開示されている。図示を明確化するために、マニホールド３２０のみが図１７〜１９に例示されているが、マニホールド３２０は、頭部ハーネス（例えば図１に示したハーネス１４）に共働的に装着され、また、フード上の空気入口ポートを介してフード（例えば図１に示したフード１２）に共働的に装着されてもよいことを理解されたい。これらの態様では、マニホールド３２０は同様に、ハーネスに対して取外し可能に装着され、また、フードに関して取外し可能に装着される。その結果、マニホールド２０に関して上述したように、ひとたびフードが汚染又は破損されたら、図１７〜１９のマニホールド３２０の再利用の利点を、同様に利用することができる。
【００６２】
マニホールド３２０は、空気入口導管３２６及び複数の空気送達導管３２８を有する（図１７では、２つの空気送達導管３２８ａ及び３２８ｂが例示されている）。一実施形態では、空気入口導管３２６は、（図１に示されたものと同様な方法で）ユーザーの頭部の後側に隣接して配置される。空気入口導管３２６は、その中に空気分配チャンバ３３０を包含する中間空気送達導管３２９と流体連通し、また、それぞれの空気送達導管３２８と流体連通している。使用する際、空気分配チャンバ３３０もまた、ユーザーの頭部の後側に隣接して配置され、中間空気送達導管３２９は、空気入口導管３２６から前方に、ユーザー頭部の上方中央に延びる。空気送達導管３２８が、中間空気送達導管３２９から更に前方に延びるにつれて、これらは、（対称に）湾曲して分岐し、空気流のための別個の導管を提供する。それぞれの空気送達導管３２８は、空気出口３３２（例えば、空気送達導管３２８ａの空気出口３３２ａ、及び空気送達導管３２８ｂの空気出口３３２ｂ）を有する。一実施形態では、それぞれの空気出口３３２は、ユーザーの頭部の顔面に隣接している。図１７では、マニホールド３２０上の空気送達導管３２８が２つだけ例示されているものの、いかなる数のこのような導管が提供されてもよいことを理解されたい。
【００６３】
マニホールド３２０の空気入口導管３２６は、フードの空気入口ポートを通って延び、図１の実施形態に関してホース４０及び呼吸可能な空気の供給源４２に関して開示されたものと同じ方法で、呼吸可能な空気の供給源と流体連通している。空気は、マニホールド３２０の空気入口導管３２６内に流動し、次いで、中間空気送達導管３２９及びその空気分配チャンバ３３０を通って、それぞれの空気送達導管３２８内に流動する。空気は、その空気出口３３２からそれぞれの空気送達導管３２８の外に、ユーザーによる吸入のためにユーザーの頭部周りにフードによって画定される、呼吸可能空気領域内に流動する。
【００６４】
上記のように、フードは、形状非安定性であり、呼吸装置組立品用のシェルとしての働きをする一方、マニホールド３２０は形状安定性である。フードの空気入口ポートを介したフードとマニホールド３２０との間の接続は、図１〜６の実施形態に関して説明したものと同様であり、マニホールド３２０をフードに封止可能に取り付けるためにロックリングなどを使用しており、更に、マニホールドの空気入口導管３２６がフードから延出して供給空気を受容することを可能にする。マニホールド２０、１２０及び２２０の形状に対して異なるマニホールド３２０の形状、並びにそれらの間にあるバルブ構造の変化の他は、（以下に説明するように）、マニホールド３２０は、上記と同じ方法でフード及びハーネスと相互作用し、上記と同じ空気送達機能を達成する。加えて、マニホールド３２０は、マニホールド２０に関して開示されたものと同じ材料から形成されてもよい。
【００６５】
空気が空気入口導管３２６からマニホールド３２０を通って流動するとき、空気は、一実施形態では、単に空気出口３３２を介してマニホールド３２０から出るだけである。しかしながら、別の実施形態では、マニホールド３２０に沿った他の位置に、空気用の空気出口が提供されてもよい。例えば、図１７に示すように、マニホールドの下部に、ユーザーの頭部に面する１つ以上の開口部３５４が提供されてもよい。図１７は、空気分配チャンバ３３０を画定する中間空気送達導管３２９内のマニホールドの壁面を貫通する、第１組の複数の開口部３５４を例示している。開口部は、いかなる寸法及び数及び構成であってもよいが、１つの代表的な構成では、例示のように、開口部３５４は、格子形式で配置されてもよい。開口部３５４は、空気が空気分配チャンバ３３０の外へ開口部３５４を通って流動するとき、空気が、フードによって画定されるシェル内部で、ユーザーの頭部に向かって流動するように位置合わせされる。
【００６６】
バルブは、マニホールド３２０上の開口部３５４を被覆及び露出させるために移動可能なシールドプレート３５８を含む。図１１〜１６に例示された実施形態のバルブのバルブ移動と同様に、シールドプレート３５８は、開口部３５４に向かって及び開口部３５４から離れて移動する。シールドプレート３５８は、１つ以上のコネクタ３５９を介して環状リング３７７に取り付けられる。環状リング３７７は、空気入口導管３２６内の円筒形ボア３７７ａ内部で、（空気入口導管３２６の軸線に対して）長手方向に移動するために摺動可能に配置される。一対の弓状作動装置タブ３７９は、リング３７７の底縁から外向きに延びる。
【００６７】
タブ３７９は、リング３７７の両側に配置され、コネクタ３５９と対向して長手方向に一直線になっている。それぞれのタブ３７９は、空気入口導管３２６の周りで周囲方向に延びる、弓状スロット３８１を通って延びる。作動装置タブ３７９は、マニホールド３２０上の開口部３５４に対してシールドプレート３５８の位置を変化させるために、スロット３８１を通って（図１８及び１９の矢印３６３の方向に）長手方向に移動可能である。図１８に見られるように、第１位置では、開口部３５４は、シールドプレート３５８によって被覆されている。図１９に見られるように、第２位置では、開口部３５４は露出され、シールドプレート３５８はそこから離間している。それぞれのスロット３８１は、その中にそのそれぞれのタブ３７９を摺動可能に受容するように寸法設定され、これにより、それを通って矢印３６３の方向に延びるタブ３７９の移動を可能にする。スロット３８１は、感知され得る量の空気がマニホールド３２０内部からスロット３８１を介して漏出しないように、タブ３７９に対して寸法設定される。一実施形態では、開口部３５４は、マニホールド３２０を通って流動する空気の５０％以下が、開口部３５４を通って流動できるように形成される。開口部３５４を通る空気流は、開口部３５４に対するシールドプレート３５８の位置に応じて可変的であり、完全閉鎖（シールドプレート３５８の開口部が完全に被覆された位置（図１８））と、完全開放（シールドプレート３５８の開口部が完全に開放された位置（図１９））との間のいかなる流量レベルで流動することもできる。
【００６８】
図１７に見られるように、それぞれの作動装置タブ３７９の一部は、（図１７において仮想線のフード１２で表される）フードの材料の外側にあり、その結果、フードが着用されているときに、シールドプレート３５８の位置を開口部３５４に対して操作するためにユーザーによるアクセスが可能である。その結果、シールドプレート３５８は、導管を通ってその空気出口３３２に流動する空気の量を変化させるための、バルブ部材としての働きをする。シールドプレート３５８が開放されると、空気は開口部３５４の外に流動し、その結果、より少ない空気が空気出口３３２の外に流動する。シールドプレート３５８の長手方向移動の量は、一方では、開口部３５４と、シールドプレート３５８の係合によって制限され、また他方では、空気入口導管３２６内部の円筒形ボア３７７ａの底部における肩部と、環状リング３７７の底縁の係合によって制限される。バルブシールド３５８によって形成されるバルブが、マニホールド３２０の開口部３５４に対して完全に閉鎖した位置（図１８）にあること、又は完全に開放した位置（図１９）にあることを示す触覚的及び／又は可聴的な目安をユーザーに提供するために、バルブ構造軸受シールドプレート３５８とマニホールド３２０との間に戻り止めが提供されてもよい。
【００６９】
したがって、シールドプレート３５８は、開口部３５４の寸法を変化させるために開口部３５４に対して移動可能な、開口部３５４に隣接したカバーを提供する。作動装置タブ３７９は、シールドプレート３５８に操作可能に（即ち、フードの外側にあるバルブ作動装置として）接続され、呼吸装置組立品を着用しているユーザーが、呼吸装置組立品を着用している間に、シールドプレート３５８を開口部３５４に対して所望の位置に移動することを可能にする。
【００７０】
上述のように、呼吸装置組立品には、フードが含まれる。代表的なフードが図１に例示される。図２０〜２２は、本開示の呼吸装置組立品に関連して使用されてもよい代表的なフードを更に例示している。図２０は、ユーザーの肩に隣接した下端部にエプロンを備えた、ユーザー１８の頭部１６全体を被覆するように寸法設定されたフード１２Ａを例示している。図２１は、頭部カバーと称されることもある代替のフード１２Ｂを例示しており、フード１２Ｂは、ユーザー１８の頭部１６の頂部及び前側部分のみを被覆し、ユーザーの耳、首及び肩は露出されたままである。フード１２Ｂは、その下縁においてユーザーの頭部の周りを封止する。図２２は、ユーザー１８の頭部１６を全体的に被覆するが、ユーザー１８によって着用される全身保護用ボディースーツ１９と組み合わせても使用されるフード１２Ｃを例示している。フード１２Ａ、１２Ｂ及び１２Ｂのそれぞれは、形状非安定性であってもよく、それぞれのフードのシェル内部には、本明細書に開示されるような形状安定性マニホールドが組み込まれる。図２２に開示される実施形態では、マニホールドは、ユーザー１８によってベルトに携行されるＰＡＰＲ空気及び／又は動力供給源Ｐに連結される。
【００７１】
他の代替のフード形体が可能であり、また、呼吸用のシェルを画定する形状非安定性フードの形体がどのようなものであっても、そのフード内部には、形状安定性マニホールド（例えば本明細書に開示される代表的なマニホールド）が包含される。マニホールドは、典型的には、単一の空気入口から空気を受容し、複数の導管を介して、フード内部の複数の空気出口に空気を分配する。マニホールドは、フードから取外し可能であり、その結果、汚れたフードの処分及びマニホールドの再利用を可能にしてもよい。加えて、マニホールド及びフードをユーザーの頭部に装着するために、頭部ハーネスが提供されてもよい。同様に、頭部ハーネスは、再利用のためにフードから取外し可能であってもよく、マニホールドから取外し可能であってもよい。
【００７２】
本明細書に開示されるマニホールドを幾つかの実施形態に関して記載してきたが、本呼吸装置組立品の開示の趣旨及び範囲から逸脱することなく形態及び細部を変更できることが当業者には認識されるであろう。例えば、図２、７、１１及び１７に例示されたマニホールドのそれぞれは、対称に位置合わせされた２つの空気送達導管を有する。しかしながら、空気送達導管の構成が対称であることは、すべての場合において重要ではない場合があり、特定の呼吸装置組立品の用途に関しては、非対称の構成が望ましい場合がある。その上、例示されたマニホールド用の空気出口は、一般にユーザーの目の側部上方にあるものとして開示されている。空気出口用の代替の位置もまた企図されており、本開示は、このような代表的特徴によってそれだけに限定されるべきではない。代表的なフード用材料（それ故、フードによって画定されるシェル）には、布地、紙、ポリマー（例えば、織布材、不織布材料、スパンボンド材料（例えば、ポリプロピレン若しくはポリエチレン）、又はポリウレタン若しくはＰＶＣによってコーティングされた編んだ基材）、あるいはそれらの組み合わせを包含する。
【００７３】
それぞれの例示されたマニホールドの実施形態には、バルブが包含されるものの、このようなバルブは必須ではない。加えて、開示されたバルブ作動装置は、すべて本質的に機械的である（回転又は直線運動（rotary of linear motion）のいずれかを使用している）。あるいは、バルブのバルブ部材を作動させるために、電気機械装置が使用されてもよい。かかる実施形態ではバルブ部材及びその制御装置の少なくとも一部分は、呼吸装置のシェル内部に存在する。ソレノイド、線状駆動装置（linear drive）、又はサーボモーターなどの制御装置は、ユーザーによって呼び出される遠隔信号に応答して、バルブ部材を移動させる。信号は、有線接続又は無線「ワイヤレス」通信のいずれかを通じて送達されてもよい。ワイヤレス制御式バルブは、このような用途において、ユーザー操作式伝達装置から伝達される制御信号を受信するために受信される無線を採用する。いかなる場合も、バルブ自体は、２つの状態の間で作動してもよいし、漸次的に開放及び閉鎖してもよい。制御装置用のバルブ作動装置は、ユーザーによるアクセス及びＰＡＰＲ送風機制御装置の作動のために都合よく位置付けられていてもよいし、別個の手持ち式伝達装置内に組み込まれてもよい。制御装置の電子インターフェースを用いることで、結果として、バルブ流動制御プロセスにフィードバックループを組み込むことが可能である。一例として、シェル内部の温度センサは、より多くの空気流又はより少ない空気流をシェル内部のターゲット領域に方向づけるべく、制御装置と協働することができる。電気機械式バルブ作動もまた、空気流の分配制御に役立つ。分配制御の際、呼吸装置シェル内部の異なる領域への空気流を操作して、呼吸装置シェル内部の空気流のバランスを改善するために、複数のバルブ部材／制御装置を制御することができる。
【図１】
0005543221.tif 000002
【図２】
0005543221.tif 000003
【図３】
0005543221.tif 000004
【図４】
0005543221.tif 000005
【図５】
0005543221.tif 000006
【図６】
0005543221.tif 000007
【図７】
0005543221.tif 000008
【図８】
0005543221.tif 000009
【図９】
0005543221.tif 000010
【図１０】
0005543221.tif 000011
【図１１】
0005543221.tif 000012
【図１２】
0005543221.tif 000013
【図１３】
0005543221.tif 000014
【図１４】
0005543221.tif 000015
【図１５】
0005543221.tif 000016
【図１６】
0005543221.tif 000017
【図１７】
0005543221.tif 000018
【図１８】
0005543221.tif 000019
【図１９】
0005543221.tif 000020
【図２０】
0005543221.tif 000021
【図２１】
0005543221.tif 000022
【図２２】
0005543221.tif 000023